(57)【要約】【課題】印影を１、背景を０のビット構成で電子印鑑を作成し、その組合せを変えて利用者に配分し、区別する電子印鑑の作成、管理方法及びその利用方法を提供することを目的とする。【解決手段】前記課題の目的を達成するために、Ｍビットで作成された基本文字の電子印鑑をＮ人の利用者で利用するために、Ｎ人に対しＮ個のコードを割り当て、コードＮ−１に対してｎビットが欠けたＭ−ｎビットの印影コードを割り当て、コードＮ−２に対しては、Ｎ−１とは少なくとも１箇所異なる位置のｎビットが欠けたＭ−ｎビットの印影コードを割り当てて電子印鑑を作成、管理し、また、前記欠けたビットの位置を文字列に変換し、変換された前記文字列を利用者が入力する固有情報によって暗号化し、電子印鑑に電子署名として添付することを特徴とするものである。【選択図】図１
2004348212.tif 000002
【特許請求の範囲】
【請求項１】
Ｍビットで作成された基本文字の電子印鑑をＮ人の利用者で利用するために、Ｎ人に対しＮ個のコードを割り当て、コードＮ−１に対してｎビットが欠けたＭ−ｎビットの印影コードを割り当て、コードＮ−２に対しては、Ｎ−１とは少なくとも１箇所異なる位置のｎビットが欠けたＭ−ｎビットの印影コードを割り当てることを特徴とする電子印鑑の作成及び管理方法。
【請求項２】
Ｍビットで作成された基本文字の電子印鑑をＮ人の利用者で利用するために、Ｎ人に対しＮ個のコードを割り当て、コードＮ−１に対してｎビットが欠けたＭ−ｎビットの印影コードを割り当て、コードＮ−２に対しては、Ｎ−１とは少なくとも１箇所異なる位置のｎビットが欠けたＭ−ｎビットの印影コードを割り当て、
前記基本文字の欠けたビットの位置を文字列に変換し、変換された前記文字列を利用者が入力する固有情報によって暗号化し、電子印鑑に電子署名として添付することを特徴とする電子印鑑の利用方法。
【発明の詳細な説明】
【０００１】
【発明の属する技術分野】
本発明は、電子印鑑の作成方法、作成した電子印鑑の管理方法、及び電子印鑑の利用方法に関する。
【０００２】
【従来の技術】
近年、企業内ワークフローシステムが、紙の申請書によるシステムから電子文書による申請システムに移行しつつある。
移行に際しては、利用者から、入力装置の画面に表示される電子文書のイメージを可能な限り従来の紙に印刷されたイメージに近い形態にするよう要求される。
また、電子申請書、電子報告書には従来のように申請者、承認者の捺印欄を設け申請者は捺印を行って回覧し、承認者は捺印によって承認し、返却したいという要求がなされる。
【０００３】
そこで、電子文書に使用する電子印鑑に関し幾つかの提案がなされている。
例えば、任意の文字、または文字列による印鑑文字をキーボード入力して記憶させ、その印鑑文字を納める印鑑枠を枠データ格納メモリから選択、読み出された印鑑文字と選択された印鑑枠とを自動レイアウトして合成し、使用する方法が提案されている（特許文献１参照）。
また、入力時の日時を数値変換して印鑑イメージを変容させる方法が提案されている（特許文献２参照）。
【０００４】
【特許文献１】
特開平５−６１８６９号公報
【特許文献２】
特開平１０−５５４４１号公報
【０００５】
【発明が解決しようとする課題】
前記特許文献１に記載の印鑑イメージ印刷機能付き文字処理装置の場合、印鑑文字と印鑑枠とを組み合わせて合成する単純な方法を用いている。そのため、複数の同一姓名者が同一の印鑑文字、印鑑枠を選択した場合、同一の電子印鑑が作成されてしまう。
また、前記特許文献２に記載の電子印鑑作成方法及び装置の場合、入力時に日時を数値変換して印鑑イメージを変容させるため処理が複雑となる。また、イメージの変容に主眼を置いているために利用者が多くなった場合に効果が薄いという課題がある。
【０００６】
前期課題を解決するために本発明は、印影を１、背景を０のビット構成で電子印鑑を作成し、その組合せを変えて利用者に配分し、区別する電子印鑑の作成、管理方法及びその利用方法を提供することを目的とする。
【０００７】
【課題を解決するための手段】
前記課題の目的を達成するために、本発明の電子印鑑の作成及び管理方法とその利用方法の請求項１に記載の電子印鑑の作成、管理方法は、Ｍビットで作成された基本文字の電子印鑑をＮ人の利用者で利用するために、Ｎ人に対しＮ個のコードを割り当て、コードＮ−１に対してｎビットが欠けたＭ−ｎビットの印影コードを割り当て、コードＮ−２に対しては、Ｎ−１とは少なくとも１箇所異なる位置のｎビットが欠けたＭ−ｎビットの印影コードを割り当てることを特徴とするものである。
【０００８】
また、請求項２に記載の発明の電子印鑑の利用方法は、Ｍビットで作成された基本文字の電子印鑑をＮ人の利用者で利用するために、Ｎ人に対しＮ個のコードを割り当て、コードＮ−１に対してｎビットが欠けたＭ−ｎビットの印影コードを割り当て、コードＮ−２に対しては、Ｎ−１とは少なくとも１箇所異なる位置のｎビットが欠けたＭ−ｎビットの印影コードを割り当て、前記欠けたビットの位置を文字列に変換し、変換された前記文字列を利用者が入力する固有情報によって暗号化し、電子印鑑に電子署名として添付することを特徴とするものである。
【０００９】
【発明の実施の形態】
以下図面を参照して、本発明の電子印鑑の作成及び管理方法とその利用方法について説明する。
図１は、電子印鑑に使用する基本文字の選択と、ビット化された印影の一実施形態について説明するための模式図、図２は、ビットで構成された基本文字の一実施形態、図３は、図２の部分拡大図である。図４は、図２とは異なる位置の１ビットが欠けた印影の一実施形態、図５は、図４とは異なる位置の１ビットが欠けた印影の一実施形態、図６は、図５とは異なる位置の１ビットが欠けた印影の一実施形態、図７は、図６とは異なる位置の１ビットが欠けた印影の一実施形態、図８は、電子印鑑に使用する基本文字の書体が楷書の場合と、ビット化された印影の一実施形態についての説明図、図９は、図８の部分拡大図、図１０は、電子印鑑の管理について説明するための図、図１１は、印影部を「１」、背景部を「０」で表示するパターンコードの説明図、である。
【００１０】
図１を参照して、電子印鑑に使用する基本文字の選択と、ビット化された印影の一実施形態について説明する。
ワードプロセッサや、漢字入力機能を有するパーソナルコンピュータなどのキーボードを操作して漢字「山」を入力する。
実際に使用される電子印鑑の印影「山」は、「山田」、「山口」、「山崎」など２文字で使用されることがほとんどであるが、本実施の形態では、これら２文字の上１文字の「山」で説明することにする。
漢字の書体は、特に限定しないが、印鑑として使用されるために漢字を構成する縦横の線が太目のゴシック体、または、太目の楷書体などから選択される。
漢字の書体が決定したら、印影に相当する漢字「山」１を所定の密度のビットイメージに変換するために碁盤目に区画された平面１０にコピーする。
本実施の形態では、前記所定のビット密度を縦横それぞれ６４となるように設定する。ビット密度を６４より更に細かくすることもでき、逆に粗くすることもできる。細かくすればそれだけ同一の印影をより多くの人が使用可能となる。
【００１１】
図２、図３を参照して、電子印鑑に使用する基本文字の選択と、ビット化された印影の一実施形態について説明する。
図２では碁盤目に区画された平面に利用者１０１の印鑑の印影である漢字「山」が形成されている。
印影「山」は、所定の密度のビットイメージに変換するために碁盤目に区画されたそれぞれの升目に割り当てられている。
印影「山」の左側の円１００で囲まれた部分の矢印１０１０の先端部分に正方形の欠け部分が一個形成されている。
【００１２】
図３は、図２の円１００で囲まれた部分を拡大した図である。
それぞれの升目は、図３に示すように、碁盤目エリアの左上からの座標値で定められ登録される。
以下、碁盤の目を「縦方向」に繋いだ帯を「列」で、「横方向」に繋いだ帯を「列」で表し説明する。
図３の塗り潰された部分は、印影部で、塗り潰されていない部分は、背景部である。
印影部に関し、行方向は、１３番目の「行」から始まり、少なくともの２０番目まで続いている。また列方向は、１３、１４番目の「行」は、１０から１５番目まで、１５番目の「行」は、１１番目から１４番目まで、１６番目以下の「行」は、１０番目のから１４番目までが印影部である。
【００１３】
「山」の電子印鑑の利用対象者は、全員図１に示す基本文字を使用することになるために、碁盤目に区画された印影部、背景部の座標値は共通である。
【００１４】
図２、図３に表示された電子印鑑「山」を使用する利用者１０１は、矢印１０１０の先に表示された「升」が欠けている印影を使用していることで特定することができる。
即ち、印影「山」を割り当てられた利用者は、それぞれに「欠けの部分」の位置が異なる。そこで、利用者１０１を特定するためには、前記「欠けている升」の座標値を「行」と、「列」で表現すればいのである。
前述のように、利用者１０１の電子印鑑を登録する場合は、図３に示すように“「行」１５、「列」１０の欠け”をコード化して利用者ＩＤと結びつけて記憶部に登録すればよい。
そして、キーボードから利用者ＩＤが入力されたら、前記利用者ＩＤと結びつけて記憶部に格納され、登録されている前記利用者１０１の印影を記憶部から読み出して捺印欄に表示すればよい。
【００１５】
図４は、図２とは異なり、「行」１５、「列」１３の位置の１ビットが欠けた印影の一実施形態である。
【００１６】
図５は、図４とは異なり、「行」１５、「列」１４の位置の１ビットが欠けた印影の一実施形態である。
【００１７】
図６は、図５とは異なり、「行」１６、「列」１０の位置の１ビットが欠けた印影の一実施形態である。
【００１８】
図７は、図６とは異なり、「行」１６、「列」１２の位置の１ビットが欠けた印影の一実施形態である。
【００１９】
前述のように図２、図４、図５、図６、図７に示す印影は、欠けた位置がそれぞれ異なっている以外は全て共通である。
この欠けた位置の座標値を数字におきかえると、ある桁数を有する文字列となる。例えば、利用者１０１の印影は、図２に示すように６４ビット×６４ビットに嵌め込まれた１文字で表示し、「行」１５、「列」１０の座標上の位置に欠けを有することから、「１５１６」の４桁の文字列で表示することができる。
また、１箇所欠け部分を有する印鑑として使用した場合、印影部分の面積から計算すると凡そ６００の異なった印影を作成することができる。
また、１２８ビット×１２８ビットに嵌め込まれた１文字で表示した場合、「０１５０１６」の６桁の文字列で表示することができ、印影部分の面積から凡そ２４００の異なった印影を作成することができる。
【００２０】
また欠けの部分を一箇所以上何個でも設けることができ、その場合の座標上の位置を表す文字列は、桁数が大きくなるだけで考え方は一緒である。
【００２１】
図１に示す印影は、基本文字が太めの書体の例であるが、図８に示す印影は、基本文字が、細めの楷書体の場合である。
楷書体による「山」の文字１−２を所定の密度のビットイメージに変換するために碁盤目に区画された平面にコピーする。
変換されたビットイメージ文字は、図１におけるゴシック体の文字と異なり曲線の部分がのこぎり状になる。
【００２２】
図９を参照して、図８の印影１０６の欠け部分１０６０について説明する。
印影文字は、６４ビット×６４ビットで構成されるため、「山」の左側の先端は、拡大すると図９のようになっている。
矢印で示されている欠けの部分１０６０は、座標上では、１８「行」の１１「列」の位置なっているのであるが、周囲が鋸の刃のようになっているために欠けの部分とは認識され難い。
楷書体の場合は、図３で説明したゴシック体の場合とこの点が異なり、捺印された状態で欠けの部分が判別し難い点が特徴である。
【００２３】
（実施例１）
図１０に示す一覧表を参照して、「山田」という姓の複数の社員の社員コードと、社員に割り当てる電子印鑑コードの作成と、管理についての実施例について説明する。
まず、「山田」という姓の社員それぞれが使用する電子印鑑を作成する。
「ゴシック体」で山田という基本文字を選定し、６４ビット×６４ビットのビット構成文字に変換する。
「山田」の印影を構成するビットの総数は、「山」１文字に対して約６００で、「田」を合わせると、総ビット数は１３００となる。
したがって前記「山田」の１ビット欠けた「山田」は１３００個作成可能で、「山田」の姓を使用する社員数は現時点で２００人であることから将来も含めて十分間に合うことが確認された。
【００２４】
図１０の一覧表は、姓名、社員コード、印影のパターンコード、参照図で構成されている。
本実施例では、印影のパターンコード（以下パターンコードという。）を、印影の欠けているビットの位置を「列」、「行」の座標コードで表示している。
例えば、社員コード「Ａ１２３０００１」の山田一郎のパターンコードは、「１５１０」であるとしている（図２参照）。
パターンコードは、座標上では「０１０１」から、「６４６４」まで存在し、合計４０９６個存在することになるが、電子印鑑の背景部分は対象にならないため、本実施例の場合は１３００個となる。
【００２５】
同様に、社員コード「Ａ１２３００２２」の山田二郎のパターンコードは、「１５１３」である（図４参照）。
また、社員コード「Ａ１２３０２３１」の山田三郎のパターンコードは、「１５１５」である（図５参照）。
また、社員コード「Ａ１２３０１１１」の山田四郎のパターンコードは、「１６１０」である（図６参照）。
また、社員コード「Ａ１２３００８１」の山田五郎のパターンコードは、「１６１２」である（図７参照）。
一覧表には上記以外の「山田」姓の社員に適用されるパターンコードが定められている。
また、一覧表は、新入社員の「山田」姓や、退職の「山田」姓が発生すると追加、削除作業が行われ、管理される。
【００２６】
（実施例２）
図１１を参照して、パターンコードの設定を、印影部を「１」、背景部を「０」で表示する方法について説明する。
この方法は、欠け部分は背景部で表示されるため表示されたコードから書け部分を割り出すことが困難であるという特徴を有する。
この方法は、まず、「山田」という姓の社員それぞれが使用する電子印鑑を作成するために実施例１と同様、「ゴシック体」で山田という基本文字を選定し、６４ビット×６４ビットのビット構成文字に変換する。
【００２７】
図１１は、６４ビット×６４ビットの座標の一部を表示した図３の表示エリアを全面に拡大した図である。
パターンコード設定に当っては、座標の図３で表示した印影の部分を「１」とし、背景部分と、欠け部分１０１０を「０」とする。
すると、山田一郎の印鑑の印影パターンは、「００００・・」で始まって、１行目を横に進み、６４列目まで進むと、２行目の１列目に戻り横ジグザグを繰り返し、図では表示されていないが、「山」の中央部の上端部（３４７桁目）の「１」に到達し、６個続く。
図で示す、欠け部分１０１０は「０」で表示され、山田一郎の印鑑の印影パターンとして、４０９６桁のコードが生成される。
このコードを使用し易い文字列にして山田一郎に適用する。
例えば、上記山田一郎のパターンを、欠け部分がない基本文字のパターンとの比較で、異なる部分の座標位置をパターンコードとする。
その結果、１５行目の１０列目が異なることから、６４（ビット）×１４（行）＋１０（ビット）＝９０６（ビット）となり、例えば「０９０６」と設定する。
この「山田」の印影コードは、実施例１の場合と同様、１３００種類の中の１種類となる。
【００２８】
以下、印影の保管に関する一実施形態について説明する。
前述の、実施例１、２いずれの場合も電子印鑑管理サーバーには基本文字のパターンのビット構成のみを保管し、申請端末に入力された、例えば、社員コード等の検索コードによって検索されたパターンコードによって、パターンコードが指定する座標に欠けを生成して入力端末の表示部に印影として表示する。
上記の方法と異なり、事前に作成された、例えば実施例２に示す４０９６ビットの印影パターンコードとして登録しておくことも可能である。
また、パターンコード等は、暗号化して保管管理することも可能である。
【００２９】
次に、本発明の電子印鑑の利用方法の一実施形態について説明する。
社員の文書作成、申請端末は、ネット上で電子印鑑サーバに接続されている。
社員は申請端末で文書を作成、または表示し、捺印する。
その際、所定の申請書式を選択して捺印欄をクリックすると、社員コードを入力するように指示される。
社員コードを入力すると、登録された電子印鑑が表示され、確認するよう要求される。
確認をクリックすると、パスワードを入力するよう指示される。
登録済のパスワードを入力すると、完了ボタンを押すように指示され、完了ボタンを押して完了する。
パスワードを入力した時点で、電子印鑑のパターンコードがパスワードによって暗号化され、入力した社員の署名が添付される。パスワードは、随時変更され登録される。
【００３０】
【発明の効果】
本発明により、同一の姓を有する者の電子印鑑の印影を簡単なロジックによって識別可能な形で作成することができる。
また、利用者は、自分が使用する印影を割り当てられた時点で確認できるために、申請書に出力された自分の印影を目視で確認することが可能となり、他人の印影を間違って使用する誤用を防止することができる。
また、電子印鑑に署名を行うことによって、送信された電子文書の印鑑が送信途中で改竄されたか否かチェックすることが可能となる。
【図面の簡単な説明】
【図１】電子印鑑に使用する基本文字の選択と、ビット化された印影の一実施形態について説明するための模式図である。
【図２】ビットで構成された基本文字の一実施形態である。
【図３】図２の部分拡大図である。
【図４】図２とは異なる位置の１ビットが欠けた印影の一実施形態である。
【図５】図４とは異なる位置の１ビットが欠けた印影の一実施形態である。
【図６】図５とは異なる位置の１ビットが欠けた印影の一実施形態である。
【図７】図６とは異なる位置の１ビットが欠けた印影の一実施形態である。
【図８】電子印鑑に使用する基本文字の書体が楷書の場合と、ビット化された印影の一実施形態についての説明図である。
【図９】図８の部分拡大図である。
【図１０】電子印鑑の管理について説明するための図である。
【図１１】印影部を「１」、背景部を「０」で表示するパターンコードの説明図である。
【符号の説明】
１      基本文字（ゴシック体）
１−２  基本文字（楷書体）
３      座標コード付けの順番
１０    ビットで表示された基本文字
１００  基本文字の１部分
１０１０，１０２０，１０３０，１０４０，１０５０，１０６０  それぞれの印影の欠け部分（または、欠け部分を示す矢印）
１０１，１０２，１０３，１０４，１０５，１０６  印鑑の印影
【図１】
2004348212.tif 000003
【図２】
2004348212.tif 000004
【図３】
2004348212.tif 000005
【図４】
2004348212.tif 000006
【図５】
2004348212.tif 000007
【図６】
2004348212.tif 000008
【図７】
2004348212.tif 000009
【図８】
2004348212.tif 000010
【図９】
2004348212.tif 000011
【図１０】
2004348212.tif 000012
【図１１】
2004348212.tif 000013